(57)【要約】  本発明は、情報送信方法及びシステム並びに装置を開示し、通信分野に関し、受信端により実行されるＤＣＩ検出が比較的高い複雑性を有し且つ比較的高い電力消費を生じるという従来技術の問題を解決できる。特定のソリューションは、第１通信装置により、第１構成情報を取得するステップであって、前記第１構成情報は、第１領域内のダウンリンク制御情報ＤＣＩを検出するよう前記第１通信装置に指示するために使用される、ステップと、前記第１通信装置により、第１ＴＴＩの中のある前記第１領域内の前記ＤＣＩを検出するステップと、を含む。本発明は、情報送信に適用される。
2019511889.tif 000002
【特許請求の範囲】
【請求項１】
情報送信方法であって、前記方法は、
第１通信装置により、第１構成情報を取得するステップであって、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースである、ステップと、
前記第１通信装置により、前記第１ＴＴＩの中の前記第１領域内の前記ＤＣＩを検出するステップと、
を含む方法。
【請求項２】
前記第１領域は、物理ダウンリンク制御チャネルＰＤＣＣＨに含まれる時間周波数リソースであり、又は前記第１領域は、物理ダウンリンク共有チャネルＰＤＳＣＨに含まれる時間周波数リソースである、請求項１に記載の方法。
【請求項３】
前記第１領域は、プリセット直交周波数分割多重ＯＦＤＭシンボル又はリソースブロックＲＢを含む、請求項１又は２に記載の方法。
【請求項４】
前記第１ＴＴＩの時間長は１サブフレームの時間長より短い、請求項１乃至３のいずれか一項に記載の方法。
【請求項５】
前記第１構成情報は、前記ＤＣＩのフォーマットを示すために更に使用され、前記ＤＣＩの前記フォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む、請求項１乃至４のいずれか一項に記載の方法。
【請求項６】
第１通信装置により、第１構成情報を取得する前記ステップは、
前記第１通信装置により、第２通信装置により送信された前記第１構成情報を受信するステップを含む、請求項１乃至５のいずれか一項に記載の方法。
【請求項７】
前記第１構成情報は、無線リソース制御ＲＲＣシグナリング、システム情報ブロックＳＩＢ、又は媒体アクセス制御ＭＡＣシグナリングにより、前記第１通信装置へ送信される、請求項６に記載の方法。
【請求項８】
前記第１通信装置により、第２通信装置により送信された前記第１構成情報を受信する前記ステップは、
前記第１通信装置により、第２領域内の前記第１構成情報を検出するステップであって、前記第２領域は、前記第１ＴＴＩ内の、ＰＤＣＣＨに含まれる時間周波数リソースである、又は前記第２領域は、前記第１ＴＴＩ内の、ＰＤＳＣＨに含まれる時間周波数リソースである、ステップを含む、請求項６に記載の方法。
【請求項９】
前記第１構成情報は無線ネットワーク一時識別子ＲＮＴＩフィールドを含み、又は前記第１構成情報は前記ＲＮＴＩによりスクランブルされた巡回冗長符号ＣＲＣを含む、請求項６乃至８のいずれか一項に記載の方法。
【請求項１０】
前記第１通信装置により、前記第１ＴＴＩの中の前記第１領域内の前記ＤＣＩを検出する前記ステップの前に、前記方法は、
前記第１通信装置により、第１長さ情報を取得するステップであって、前記第１長さ情報は前記ＤＣＩの長さを示すために使用される、ステップと、
前記第１通信装置により、前記第１ＴＴＩの中の前記第１領域内の前記ＤＣＩを検出する前記ステップは、
前記第１通信装置により、前記第１長さ情報により示される前記長さに基づき、前記第１ＴＴＩの中の前記第１領域内の前記ＤＣＩを検出するステップを含む、
請求項１乃至９のいずれか一項に記載の方法。
【請求項１１】
前記第１領域は前記ＤＣＩにより占有される時間周波数リソースであり、
前記第１通信装置により、前記第１ＴＴＩの中の前記第１領域内の前記ＤＣＩを検出する前記ステップは、
前記第１通信装置により、前記第１ＴＴＩの中の前記第１領域内の前記ＤＣＩを復号化するステップを含む、
請求項１乃至１０のいずれか一項に記載の方法。
【請求項１２】
前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する、請求項１乃至１１のいずれか一項に記載の方法。
【請求項１３】
前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する、請求項１乃至１２のいずれか一項に記載の方法。
【請求項１４】
情報送信方法であって、前記方法は、
第２通信装置により、第１通信装置へ第１構成情報を送信するステップであって、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースである、ステップと、
前記第２通信装置により、前記第１通信装置へ前記第１構成情報の中で示される前記第１領域内で前記ＤＣＩを送信するステップと、
を含む方法。
【請求項１５】
前記第１領域は、物理ダウンリンク制御チャネルＰＤＣＣＨに含まれる時間周波数リソースであり、又は前記第１領域は、物理ダウンリンク共有チャネルＰＤＳＣＨに含まれる時間周波数リソースである、請求項１４に記載の方法。
【請求項１６】
前記第１領域は、プリセット直交周波数分割多重ＯＦＤＭシンボル又はリソースブロックＲＢを含む、請求項１４又は１５に記載の方法。
【請求項１７】
前記第１ＴＴＩの時間長は１サブフレームの時間長より短い、請求項１４乃至１６のいずれか一項に記載の方法。
【請求項１８】
前記第１構成情報は、前記ＤＣＩのフォーマットを示すために更に使用され、前記ＤＣＩの前記フォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む、請求項１４乃至１７のいずれか一項に記載の方法。
【請求項１９】
前記第１構成情報は、無線リソース制御ＲＲＣシグナリング、システム情報ブロックＳＩＢ、又は媒体アクセス制御ＭＡＣシグナリングにより、前記第１通信装置へ送信される、請求項１４乃至１８のいずれか一項に記載の方法。
【請求項２０】
前記第１構成情報は第２領域内にあり、前記第２領域は、前記第１ＴＴＩ内の、ＰＤＣＣＨに含まれる時間周波数リソースである、又は前記第２領域は、前記第１ＴＴＩ内の、ＰＤＳＣＨに含まれる時間周波数リソースである、請求項１４乃至１８のいずれか一項に記載の方法。
【請求項２１】
前記第１構成情報は無線ネットワーク一時識別子ＲＮＴＩフィールドを含み、又は前記第１構成情報は前記ＲＮＴＩによりスクランブルされた巡回冗長符号ＣＲＣを含む、請求項１４乃至２０のいずれか一項に記載の方法。
【請求項２２】
前記第１領域は、前記ＤＣＩにより占有される時間周波数リソースである、請求項１４乃至２１のいずれか一項に記載の方法。
【請求項２３】
前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する、請求項１４乃至２２のいずれか一項に記載の方法。
【請求項２４】
前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する、請求項１４乃至２３のいずれか一項に記載の方法。
【請求項２５】
第１通信装置であって、
第１構成情報を取得するよう構成される取得ユニットであって、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースである、取得ユニットと、
前記第１ＴＴＩの中の前記第１領域内の前記ＤＣＩを検出するよう構成される受信ユニットと、
を含む装置。
【請求項２６】
前記第１領域は、物理ダウンリンク制御チャネルＰＤＣＣＨに含まれる時間周波数リソースであり、又は前記第１領域は、物理ダウンリンク共有チャネルＰＤＳＣＨに含まれる時間周波数リソースである、請求項２５に記載の装置。
【請求項２７】
前記第１領域は、プリセット直交周波数分割多重ＯＦＤＭシンボル又はリソースブロックＲＢを含む、請求項２５又は２６に記載の装置。
【請求項２８】
前記第１ＴＴＩの時間長は１サブフレームの時間長より短い、請求項２５乃至２７のいずれか一項に記載の方法。
【請求項２９】
前記第１構成情報は、前記ＤＣＩのフォーマットを示すために更に使用され、前記ＤＣＩの前記フォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む、請求項２５乃至２８のいずれか一項に記載の装置。
【請求項３０】
前記受信ユニットは、前記第２通信装置により送信された前記第１構成情報を受信するよう更に構成される、請求項２５乃至２９のいずれか一項に記載の装置。
【請求項３１】
前記第１構成情報は、無線リソース制御ＲＲＣシグナリング、システム情報ブロックＳＩＢ、又は媒体アクセス制御ＭＡＣシグナリングにより、前記第１通信装置へ送信される、請求項３０に記載の装置。
【請求項３２】
前記受信ユニットは、第２領域内にある前記第１構成情報を検出するよう更に構成され、前記第２領域は、前記第１ＴＴＩ内の、ＰＤＣＣＨに含まれる時間周波数リソースである、又は前記第２領域は、前記第１ＴＴＩ内の、ＰＤＳＣＨに含まれる時間周波数リソースである、請求項３０に記載の装置。
【請求項３３】
前記第１構成情報は無線ネットワーク一時識別子ＲＮＴＩフィールドを含み、又は前記第１構成情報は前記ＲＮＴＩによりスクランブルされた巡回冗長符号ＣＲＣを含む、請求項３０乃至３２のいずれか一項に記載の装置。
【請求項３４】
前記取得ユニットは、第１長さ情報を取得するよう更に構成され、前記第１長さ情報は前記ＤＣＩの長さを示すために使用され、
前記受信ユニットは、前記第１長さ情報により示される前記長さに基づき、前記第１ＴＴＩの中の前記第１領域内の前記ＤＣＩを検出するよう更に構成される、
請求項２５乃至３３のいずれか一項に記載の装置。
【請求項３５】
前記第１領域は、前記ＤＣＩにより占有される時間周波数リソースであり、
前記受信ユニットは、前記第１ＴＴＩの中の前記第１領域内の前記ＤＣＩを復号化するよう更に構成される、
請求項２５乃至３４のいずれか一項に記載の装置。
【請求項３６】
前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する、請求項２５乃至３５のいずれか一項に記載の装置。
【請求項３７】
前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する、請求項２５乃至３６のいずれか一項に記載の装置。
【請求項３８】
第２通信装置であって、
第１通信装置へ第１構成情報を送信するよう構成される送信ユニットであって、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースである、送信ユニットを含み、
前記送信ユニットは、前記第１通信装置へ前記第１構成情報の中で示される前記第１領域内で前記ＤＣＩを送信するよう更に構成される、装置。
【請求項３９】
前記第１領域は、物理ダウンリンク制御チャネルＰＤＣＣＨに含まれる時間周波数リソースであり、又は前記第１領域は、物理ダウンリンク共有チャネルＰＤＳＣＨに含まれる時間周波数リソースである、請求項３８に記載の装置。
【請求項４０】
前記第１領域は、プリセット直交周波数分割多重ＯＦＤＭシンボル又はリソースブロックＲＢを含む、請求項３８又は３９に記載の装置。
【請求項４１】
前記第１ＴＴＩの時間長は１サブフレームの時間長より短い、請求項３８乃至４０のいずれか一項に記載の方法。
【請求項４２】
前記第１構成情報は、前記ＤＣＩのフォーマットを示すために更に使用され、前記ＤＣＩの前記フォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む、請求項３８乃至４１のいずれか一項に記載の装置。
【請求項４３】
前記第１構成情報は、無線リソース制御ＲＲＣシグナリング、システム情報ブロックＳＩＢ、又は媒体アクセス制御ＭＡＣシグナリングにより、前記第１通信装置へ送信される、請求項３８乃至４２のいずれか一項に記載の装置。
【請求項４４】
前記第１構成情報は第２領域内にあり、前記第２領域は、前記第１ＴＴＩ内の、ＰＤＣＣＨに含まれる時間周波数リソースである、又は前記第２領域は、前記第１ＴＴＩ内の、ＰＤＳＣＨに含まれる時間周波数リソースである、請求項３８乃至４３のいずれか一項に記載の装置。
【請求項４５】
前記第１構成情報は無線ネットワーク一時識別子ＲＮＴＩフィールドを含み、又は前記第１構成情報は前記ＲＮＴＩによりスクランブルされた巡回冗長符号ＣＲＣを含む、請求項３８乃至４４のいずれか一項に記載の装置。
【請求項４６】
前記第１領域は、前記ＤＣＩにより占有される時間周波数リソースである、請求項３８乃至４５のいずれか一項に記載の装置。
【請求項４７】
前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する、請求項３８乃至４６のいずれか一項に記載の装置。
【請求項４８】
前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する、請求項３８乃至４７のいずれか一項に記載の装置。
【請求項４９】
第１通信装置であって、前記第１通信装置は、プロセッサと、メモリと、受信機とを含み、前記プロセッサ、前記メモリ、及び前記受信機は互いに接続され、前記メモリはプログラム及びデータを格納するよう構成され、前記プロセッサは、前記メモリに格納された前記プログラムを呼び出して請求項１乃至１３のいずれか一項に記載の方法を実行するよう構成される、装置。
【請求項５０】
第２通信装置であって、前記第１通信装置は、プロセッサと、メモリと、送信機とを含み、前記プロセッサ、前記メモリ、及び前記送信機は互いに接続され、前記メモリはプログラム及びデータを格納するよう構成され、前記プロセッサは、前記メモリに格納された前記プログラムを呼び出して請求項１４乃至２４のいずれか一項に記載の方法を実行するよう構成される、装置。
【請求項５１】
情報送信システムであって、第１通信装置及び第２通信装置を含み、
前記第１通信装置は、請求項２５乃至３７のいずれか一項に記載の第１通信装置であり、前記第２通信装置は、請求項３８乃至４８のいずれか一項に記載の第２通信装置である、又は、
前記第１通信装置は、請求項４９に記載の第１通信装置であり、前記第２通信装置は、請求項５０に記載の第２通信装置である、
情報送信システム。
【発明の詳細な説明】
【技術分野】
【０００１】
本発明は、通信分野に関し、特に情報送信方法及びシステム並びに装置に関する。
【背景技術】
【０００２】
ロングタームエボリューション（英語：Long  Term  Evolution、略してＬＴＥ）システム、第３世代パートナーシッププロジェクト（英語：３rd  Generation  Partnership  Project、略して３ＧＰＰ）システム、及びロングタームエボリューション・アドバンスト（英語：Long  Term  Evolution−Advanced、略してＬＴＥ−Ａ）システムのような無線ネットワーク通信システムでは、時間周波数リソースは、情報送信のために時間ドメインにおいて複数の無線フレームに分けられる。１つの無線フレームは、通常、１０ミリ秒（英語：Millisecond、略してｍｓ）を有し、それぞれ１ｍｓの長さを有する１０個のサブフレームを含む。１サブフレームは１２又は１４個の直交周波数分割多重（英語：Orthogonal  Frequency  Division、略してＯＦＤＭ）シンボルを含む。１サブフレームにより示される時間ドメイン内で、つまり１送信時間間隔（英語：Transmission  Time  Interval、略してＴＴＩ）内で、物理ダウンリンク制御チャネル（英語：Physical  Downlink  Control  Channel、略してＰＤＣＣＨ）及び物理ダウンリンク共有チャネル（英語：Physical  Downlink  Shared  Channel、略してＰＤＳＣＨ）のような複数のチャネルが送信できる。ＰＤＣＣＨチャネルは、ダウンリンク制御情報（英語：Downlink  Control  Information、略してＤＣＩ）を送信するために使用でき、ＤＣＩ情報はデータリソース割り当て、変調及び復調方式、等を示すために使用される。通常、ＰＤＣＣＨは、サブフレームの最初の１〜３個のＯＦＤＭシンボルを占有する。受信端は、ＰＤＣＣＨ内の受信端のＤＣＩの特定リソース位置、及び受信端のＤＣＩに対応するＰＤＣＣＨにより使用される制御チャネル要素（英語：Control  Channel  Element、略してＣＣＥ）の集約レベル（英語：Aggregation  level、略してＡＬ）を取得できない。したがって、受信端は、ＤＣＩを取得するためにブラインド検出を実行する必要がある。具体的に言うと、受信端は、異なるリソース位置、ＤＣＩ長（複数のＤＣＩ片が復号化される必要のあるとき）、及び集約レベルを用いることにより、ＰＤＣＣＨを検出しようと絶えず試みる。スモールパケットサービスをサポートするために、１ＴＴＩは、サブフレームの半分、又は幾つかのＯＦＤＭシンボルだけを含む場合がある。このようなスモールパケットサービスの適用シナリオでは、依然として各ＴＴＩ内に独立したＰＤＣＣＨが存在し、過度に高い制御シグナリングオーバヘッドを生じる。
【０００３】
従来技術では、ＴＴＩが比較的短いとき、ＤＣＩ情報は、ＰＤＳＣＨに追加された後に送信される。言い換えると、ＰＤＳＣＨにより占有されるリソースの一部が、ＤＣＩ情報を送信するために使用される。ＤＣＩがアップリンクデータ送信を示すために使用される場合、現在ＴＴＩの後にあるＴＴＩで実行されるデータ送信がスケジューリングされ、ＤＣＩを運ぶＰＤＳＣＨが存在しないので、ＤＣＩは依然としてＰＤＣＣＨで送信される必要がある。これは、ＰＤＣＣＨのリソース予約を必要とする。ＰＤＣＣＨのために過剰なリソースが予約される場合、リソースの浪費が引き起こされる。或いは、過度に少ないリソースしかＰＤＣＣＨのために予約されない場合、スケジューリングされる必要のある多数のＵＥが存在するとき、リソースが不足することがある。釣り合いを取る目的で、従来技術では、ＤＣＩはＰＤＳＣＨ又はＰＤＣＣＨ内に存在することがあり、受信端はＰＤＳＣＨ及びＰＤＳＣＨの両方の中のＤＣＩ情報を検出する必要がある。
【０００４】
前述の情報送信を実施する過程で、発明者は、従来技術において、受信端により実行されるＤＣＩ検出が比較的高い複雑性を有し且つ比較的高い電力消費を生じていることに気付いた。
【発明の概要】
【０００５】
受信端により実行されるＤＣＩ検出が比較的高い複雑性を有し且つ比較的高い電力消費を生じるという従来技術の問題を解決するために、本発明は情報送信方法及びシステム並びに装置を提供する。技術的ソリューションは以下の通りである。
【０００６】
第１の態様によると、本発明は、情報送信方法であって、前記方法は、
第１通信装置により、第１構成情報を取得するステップであって、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースである、ステップと、
前記第１通信装置により、前記第１ＴＴＩの中の前記第１領域内の前記ＤＣＩを検出するステップと、
を含む方法を提供する。
【０００７】
可能な実装では、第１ＴＴＩの時間長は、１サブフレームの時間長より短い。
【０００８】
可能な実装では、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。任意で、ＰＤＣＣＨは、共通ＰＤＣＣＨ、拡張ＰＤＣＣＨ（ＥＰＤＣＣＨ）、又は短物理ダウンリンク制御チャネルｓＰＤＣＣＨ（１サブフレームの長さより短い長さのＴＴＩの中で使用されるＰＤＣＣＨ）であって良い。特定の実装では、第１領域は、第１ＴＴＩ内の、ＰＤＣＣＨにより占有される時間周波数リソースである。又は、第１領域は、第１ＴＴＩ内の、ＰＤＳＣＨにより占有される時間周波数リソースである。
【０００９】
可能な実装では、第１領域は、プリセット直交周波数分割多重ＯＦＤＭシンボル又はリソースブロックＲＢを含む。例えば、第１領域は第１ＴＴＩ内の奇数番号のリソースブロックＲＢであって良く、第１領域は第１ＴＴＩ内の偶数番号のＲＢであり、第１領域は第１ＴＴＩ内の最初の幾つかのＲＢであり、又は第１領域は第１ＴＴＩ内の最後の幾つかのＲＢである。
【００１０】
例えば、第１領域は第１通信装置により予め格納されて良く、第１構成情報は、ＤＣＩが第１領域内で検出されることだけを示すために使用され、又は第１領域は第１構成情報に含まれる。
【００１１】
可能な実装では、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。例えば、第１構成情報はＤＣＩフォーマットを含んで良く、又は、第１構成情報はＤＣＩフォーマットを含まない。第１構成情報の特定の指示方法は、本発明において限定されない。例えば、第１構成情報は、ＤＣＩフォーマットを含まなくて良く、第１領域はＤＣＩフォーマットの幾つかのフォーマットに対応して良い。第１構成情報が、第１領域において検出が実行されることを示すとき、第１通信装置は、第１領域に対応するこれらの幾つかのＤＣＩフォーマットだけを検出する。代替として、第１構成情報は、第１通信装置が検出する必要のあるＤＣＩフォーマットを含む。具体的に、第１構成情報の特定フィールドは、検出される必要のあるＤＣＩフォーマットを示すために使用されて良い。勿論、ここでは単に一例を用いて説明が与えられる。
【００１２】
可能な実装では、第１通信装置により、第１構成情報を取得する前記ステップは、
前記第１通信装置により、第２通信装置により送信された前記第１構成情報を受信するステップを含む。
【００１３】
可能な実装では、第１通信装置は第１構成情報を予め格納する。
【００１４】
可能な実装では、第１構成情報は、無線リソース制御ＲＲＣシグナリング、システム情報ブロックＳＩＢ、又は媒体アクセス制御ＭＡＣシグナリングにより、第１通信装置へ送信される。
【００１５】
可能な実装では、前記第１通信装置により、第２通信装置により送信された前記第１構成情報を受信する前記ステップは、
前記第１通信装置により、第２領域内の前記第１構成情報を検出するステップであって、前記第２領域は、前記第１ＴＴＩ内の、ＰＤＣＣＨに含まれる時間周波数リソースである、又は前記第２領域は、前記第１ＴＴＩ内の、ＰＤＳＣＨに含まれる時間周波数リソースである、ステップを含む。
【００１６】
特定の実装では、第２領域は、第１構成情報により占有される時間周波数リソースであって良く、第１通信装置は第２領域内の第１構成情報を直接復号化して良い。第１構成情報の長さは固定長であって良く、又は、第１構成情報の長さはＤＣＩの長さと同じであって良い。
【００１７】
任意で、第２領域は、プリセット直交周波数分割多重ＯＦＤＭシンボル又はリソースブロックＲＢを含んで良い。例えば、第２領域は第２ＴＴＩ内の奇数番号のリソースブロックＲＢであって良く、第２領域は第２ＴＴＩ内の偶数番号のＲＢであり、第２領域は第２ＴＴＩ内の最初の幾つかのＲＢであり、又は第２領域は第２ＴＴＩ内の最後の幾つかのＲＢである。望ましくは、第２ＴＴＩは第１ＴＴＩと同じであり、又は第２ＴＴＩは第１ＴＴＩの前のＴＴＩである。
【００１８】
可能な実装では、第１構成情報は、無線ネットワーク一時識別子ＲＮＴＩフィールドを含み、又は第１構成情報は、ＲＮＴＩによりスクランブルされた巡回冗長符号ＣＲＣを含む。
【００１９】
可能な実装では、前記第１通信装置により、前記第１ＴＴＩの中の前記第１領域内の前記ＤＣＩを検出する前記ステップの前に、前記方法は、
前記第１通信装置により、第１長さ情報を取得するステップであって、前記第１長さ情報は前記ＤＣＩの長さを示すために使用される、ステップを更に含み、
前記第１通信装置により、前記第１ＴＴＩの中の前記第１領域内の前記ＤＣＩを検出する前記ステップは、
前記第１通信装置により、前記第１長さ情報により示される前記長さに基づき、前記第１ＴＴＩの中の前記第１領域内の前記ＤＣＩを検出するステップを含む。
【００２０】
例えば、第１通信装置は、第１長さ情報を予め格納して良い。言い換えると、第１通信装置により検出されたＤＣＩは、特定の時間期間内で長さを不変に保つ。
【００２１】
可能な実装では、第１領域はＤＣＩにより占有される時間周波数リソースである。言い換えると、第１領域は、第１ＴＴＩの中のＤＣＩの特定リソース位置であり、第１通信装置により、第１ＴＴＩの中の第１領域内のＤＣＩを検出するステップは、第１通信装置により、第１ＴＴＩの中の第１領域内のＤＣＩを復号化するステップを含む。
【００２２】
可能な実装では、前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する。
【００２３】
可能な実装では、前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する。
【００２４】
例えば、Ｎは１であり、Ｍは１である。
【００２５】
第２の態様によると、本発明は、情報送信方法であって、前記方法は、
第２通信装置により、第１通信装置へ第１構成情報を送信するステップであって、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースである、ステップと、
第２通信装置により、第１通信装置へ前記第１構成情報の中で示される前記第１領域内で前記ＤＣＩを送信するステップと、
を含む方法を提供する。
【００２６】
可能な実装では、第１領域は、プリセット直交周波数分割多重ＯＦＤＭシンボル又はリソースブロックＲＢを含む。
【００２７】
可能な実装では、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。
【００２８】
可能な実装では、第１ＴＴＩの時間長は、１サブフレームの時間長より短い。
【００２９】
可能な実装では、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【００３０】
可能な実装では、第１構成情報は、無線リソース制御ＲＲＣシグナリング、システム情報ブロックＳＩＢ、又は媒体アクセス制御ＭＡＣシグナリングにより、第１通信装置へ送信される。
【００３１】
特定の実装では、第１構成情報は第２領域内にあり、第２領域は、第１ＴＴＩ内の、ＰＤＣＣＨにより含まれる時間周波数リソースである。又は、第２領域は、第１ＴＴＩ内の、ＰＤＳＣＨにより含まれる時間周波数リソースである。
【００３２】
可能な実装では、第１構成情報は、無線ネットワーク一時識別子ＲＮＴＩフィールドを含み、又は第１構成情報は、ＲＮＴＩによりスクランブルされた巡回冗長符号ＣＲＣを含む。
【００３３】
可能な実装では、第１領域は、ＤＣＩにより占有される時間周波数リソースである。
【００３４】
可能な実装では、前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する。
【００３５】
可能な実装では、前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する。
【００３６】
第３の態様によると、本発明は、第１通信装置であって、
第１構成情報を取得するよう構成される取得ユニットであって、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースである、取得ユニットと、
前記第１ＴＴＩの中の前記第１領域内の前記ＤＣＩを検出するよう構成される受信ユニットと、
を含む装置を提供する。
【００３７】
可能な実装では、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。
【００３８】
可能な実装では、第１領域は、プリセット直交周波数分割多重ＯＦＤＭシンボル又はリソースブロックＲＢを含む。
【００３９】
可能な実装では、第１ＴＴＩの時間長は、１サブフレームの時間長より短い。
【００４０】
可能な実装では、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【００４１】
可能な実装では、受信ユニットは、第２通信装置により送信された第１構成情報を受信するよう更に構成される。
【００４２】
可能な実装では、第１構成情報は、無線リソース制御ＲＲＣシグナリング、システム情報ブロックＳＩＢ、又は媒体アクセス制御ＭＡＣシグナリングにより、第１通信装置へ送信される。
【００４３】
可能な実装では、受信ユニットは、第２領域内にある第１構成情報を検出するよう更に構成され、第２領域は、第１ＴＴＩ内の、ＰＤＣＣＨにより含まれる時間周波数リソースであり、又は、第２領域は、第１ＴＴＩ内の、ＰＤＳＣＨにより含まれる時間周波数リソースである。
【００４４】
可能な実装では、第１構成情報は、無線ネットワーク一時識別子ＲＮＴＩフィールドを含み、又は第１構成情報は、ＲＮＴＩによりスクランブルされた巡回冗長符号ＣＲＣを含む。
【００４５】
可能な実装では、前記取得ユニットは、第１長さ情報を取得するよう更に構成され、前記第１長さ情報は前記ＤＣＩの長さを示すために使用され、
前記受信ユニットは、前記第１長さ情報により示される前記長さに基づき、前記第１ＴＴＩの中の前記第１領域内の前記ＤＣＩを検出するよう更に構成される。
【００４６】
可能な実装では、前記第１領域は、前記ＤＣＩにより占有される時間周波数リソースであり、
前記受信ユニットは、前記第１ＴＴＩの中の前記第１領域内の前記ＤＣＩを復号化するよう更に構成される。
【００４７】
可能な実装では、前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する。
【００４８】
可能な実装では、前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する。
【００４９】
第４の態様によると、本発明は、第２通信装置であって、
第１通信装置へ第１構成情報を送信するよう構成される送信ユニットであって、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースである、送信ユニットを含み、
前記送信ユニットは、第１通信装置へ前記第１構成情報の中で示される前記第１領域内で前記ＤＣＩを送信するよう更に構成される、装置を提供する。
【００５０】
可能な実装では、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。
【００５１】
可能な実装では、第１領域は、プリセット直交周波数分割多重ＯＦＤＭシンボル又はリソースブロックＲＢを含む。
【００５２】
可能な実装では、第１ＴＴＩの時間長は、１サブフレームの時間長より短い。
【００５３】
可能な実装では、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【００５４】
可能な実装では、第１構成情報は、無線リソース制御ＲＲＣシグナリング、システム情報ブロックＳＩＢ、又は媒体アクセス制御ＭＡＣシグナリングにより、第１通信装置へ送信される。
【００５５】
特定の実装では、第１構成情報は第２領域内にあり、第２領域は、第１ＴＴＩ内の、ＰＤＣＣＨにより含まれる時間周波数リソースである。又は、第２領域は、第１ＴＴＩ内の、ＰＤＳＣＨにより含まれる時間周波数リソースである。
【００５６】
可能な実装では、第１構成情報は、無線ネットワーク一時識別子ＲＮＴＩフィールドを含み、又は第１構成情報は、ＲＮＴＩによりスクランブルされた巡回冗長符号ＣＲＣを含む。
【００５７】
可能な実装では、第１領域は、ＤＣＩにより占有される時間周波数リソースである。
【００５８】
可能な実装では、前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する。
【００５９】
可能な実装では、前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する。
【００６０】
第５の態様によると、本発明は、第１通信装置であって、プロセッサとメモリと受信機とを含み、前記プロセッサ、前記メモリ、及び前記受信機は互いに接続され、前記プロセッサは前記メモリに格納されたプログラムを実行するよう構成され、前記プロセッサは、第１構成情報を取得するよう構成され、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースであり、
前記プロセッサは、受信機を用いて、前記第１ＴＴＩの中の前記第１領域内の前記ＤＣＩを検出するよう更に構成される、装置を提供する。
【００６１】
可能な実装では、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。
【００６２】
可能な実装では、第１領域は、プリセット直交周波数分割多重ＯＦＤＭシンボル又はリソースブロックＲＢを含む。
【００６３】
可能な実装では、第１ＴＴＩの時間長は、１サブフレームの時間長より短い。
【００６４】
可能な実装では、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【００６５】
可能な実装では、プロセッサは、受信機を用いて、第２通信装置により送信された第１構成情報を受信するよう更に構成される。
【００６６】
可能な実装では、第１構成情報は、無線リソース制御ＲＲＣシグナリング、システム情報ブロックＳＩＢ、又は媒体アクセス制御ＭＡＣシグナリングにより、第１通信装置へ送信される。
【００６７】
可能な実装では、プロセッサは、第２領域内にある第１構成情報を検出するよう更に構成され、第２領域は、第１ＴＴＩ内の、ＰＤＣＣＨにより含まれる時間周波数リソースであり、又は、第２領域は、第１ＴＴＩ内の、ＰＤＳＣＨにより含まれる時間周波数リソースである。
【００６８】
可能な実装では、第１構成情報は、無線ネットワーク一時識別子ＲＮＴＩフィールドを含み、又は第１構成情報は、ＲＮＴＩによりスクランブルされた巡回冗長符号ＣＲＣを含む。
【００６９】
可能な実装では、プロセッサは、第１長さ情報を取得し、第１長さ情報はＤＣＩの長さを示すために使用され、並びに、受信機を用いて第１長さ情報により示される長さに基づき、第１ＴＴＩの中の第１領域内のＤＣＩを検出するよう更に構成される。
【００７０】
可能な実装では、前記第１領域は、前記ＤＣＩにより占有される時間周波数リソースであり、
前記プロセッサは、前記第１ＴＴＩの中の前記第１領域内の前記ＤＣＩを復号化するよう更に構成される。
【００７１】
可能な実装では、前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する。
【００７２】
可能な実装では、前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する。
【００７３】
第６の態様によると、本発明は、第２通信装置であって、プロセッサとメモリと送信機とを含み、前記プロセッサ、前記メモリ、及び前記送信機は互いに接続され、前記プロセッサは前記メモリに格納されたプログラムを実行するよう構成され、前記プロセッサは、送信機を用いて第１通信装置へ第１構成情報を送信するよう構成され、前記第１構成情報は、第１領域内のダウンリンク制御情報ＤＣＩを検出するよう前記第１通信装置に指示するために使用され、前記第１領域は、第１送信時間間隔ＴＴＩの中の時間周波数リソースであり、
前記プロセッサは、送信機を用いて第１通信装置へ、前記第１構成情報の中で示された前記第１領域内で前記ＤＣＩを送信するよう更に構成される。
【００７４】
可能な実装では、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。
【００７５】
可能な実装では、第１領域は、プリセット直交周波数分割多重ＯＦＤＭシンボル又はリソースブロックＲＢを含む。
【００７６】
可能な実装では、第１ＴＴＩの時間長は、１サブフレームの時間長より短い。
【００７７】
可能な実装では、前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する。
【００７８】
可能な実装では、前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する。
【００７９】
可能な実装では、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【００８０】
可能な実装では、第１構成情報は、無線リソース制御ＲＲＣシグナリング、システム情報ブロックＳＩＢ、又は媒体アクセス制御ＭＡＣシグナリングにより、第１通信装置へ送信される。
【００８１】
特定の実装では、第１構成情報は第２領域内にあり、第２領域は、第１ＴＴＩ内の、ＰＤＣＣＨにより含まれる時間周波数リソースである。又は、第２領域は、第１ＴＴＩ内の、ＰＤＳＣＨにより含まれる時間周波数リソースである。
【００８２】
可能な実装では、第１構成情報は、無線ネットワーク一時識別子ＲＮＴＩフィールドを含み、又は第１構成情報は、ＲＮＴＩによりスクランブルされた巡回冗長符号ＣＲＣを含む。
【００８３】
可能な実装では、第１領域は、ＤＣＩにより占有される時間周波数リソースである。
【００８４】
可能な実装では、前記ＤＣＩが前記第１通信装置に対するダウンリンク許可を示すために使用されるとき、前記第１領域は、前記第１ＴＴＩの中の最初のＮ個の直交周波数分割多重ＯＦＤＭシンボルを含み、Ｎは整数であり、Ｎは［１，１４］に属する。
【００８５】
可能な実装では、前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する。
【００８６】
第７の態様によると、本発明は、第１通信装置及び第２通信装置を含む情報送信システムであって、前記第１通信装置は第１の態様又は第３の態様の可能な実装のうちのいずれかに記載の第１通信装置であり、前記第２通信装置は、第４の態様又は第４の態様の可能な実装のうちのいずれかに記載の第２通信装置であり、或いは、第１通信装置は第５の態様又は第５の態様の可能な実装のいずれかに記載の第１通信装置であり、第２通信装置は第６の態様又は第６の態様の可能な実装のいずれかに記載の第２通信装置である、情報通信システムを提供する。
【００８７】
本発明で提供される情報送信方法及びシステム並びに装置によると、第１通信装置は、第１構成情報を取得し、ここで、第１構成情報は第１領域内のダウンリンク制御情報ＤＣＩを検出するよう第１通信装置に指示するために使用され、並びに第１ＴＴＩの中の第１領域内のＤＣＩを検出する。この方法では、ＤＣＩがＰＤＳＣＨチャネル又はＰＤＣＣＨチャネルで送信できるとき、第１通信装置は、第１領域内だけで検出を実行すれば良く、ＰＤＳＣＨチャネル及びＰＤＣＣＨチャネルを検出しない。これは、受信端により実行されるＤＣＩ検出が比較的高い複雑性を有し且つ比較的高い電力消費を生じるという従来技術の問題を解決する。
【００８８】
上述の全体的説明及び以下の詳細な説明の両方は、単なる例示及び説明のためであり、本発明の範囲を限定しないことが理解されるべきである。
【図面の簡単な説明】
【００８９】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００９０】
【図１】本発明の一実施形態による情報送信方法の概略フローチャートである。
【００９１】
【図２】本発明の一実施形態によるＴＴＩ内のＤＣＩの時間周波数リソース位置の概略図である。
【００９２】
【図３】本発明の別の実施形態による情報送信方法の概略フローチャートである。
【００９３】
【図４】本発明の一実施形態による第１通信装置の概略構造図である。
【００９４】
【図５】本発明の一実施形態による第２通信装置の概略構造図である。
【００９５】
【図６】本発明の別の実施形態による第１通信装置の概略構造図である。
【００９６】
【図７】本発明の別の実施形態による第２通信装置の概略構造図である。
【００９７】
【図８】本発明の一実施形態による情報送信システムの概略構造図である。
【００９８】
前述の添付の図面は、本発明の特定の実施形態を示し、更に詳細な説明が以下に提供される。添付の図面及び文字の説明は、いかなる方法でも本発明の実施形態の概念の範囲を限定することを意図せず、本発明の概念を特定の実施形態を参照して当業者に説明することを意図する。
【発明を実施するための形態】
【００９９】
本発明の目的、技術的ソリューション、及び利点を一層明らかにするために、本発明の実装を、添付の図面を参照して以下に詳述する。
【０１００】
本発明の実施形態において提供される情報送信方法及びシステム並びに装置は、ロングタームエボリューション（英語：Long  Term  Evolution、略してＬＴＥ）システム、第３世代パートナーシッププロジェクト（英語：３rd  Generation  Partnership  Project、略して３ＧＰＰ）システム、又はロングタームエボリューション・アドバンスト（英語：Long  Term  Evolution−Advanced、略してＬＴＥ−Ａ）システムのような無線ネットワーク通信システムに適用できる。望ましくは、情報送信方法及びシステム並びに装置は、進化型ＮｏｄｅＢ（英語：Evolved  NodeB、略してｅＮＢ）とユーザ機器（英語：User  Equipment、略してＵＥ）との間の情報送信に適用でき、例えば、ｅＮＢがダウンリンク制御情報（英語：Downlink  Control  Information、略してＤＣＩ）をＵＥへ送信するときに適用できる。通常、時間周波数リソースは、情報送信のために時間ドメインにおいて複数の無線フレームに分割される。１つの無線フレームは、１０ミリ秒（英語：Millisecond、略してｍｓ）を有し、それぞれ１ｍｓの長さを有する１０個のサブフレームを含む。１サブフレームは１２又は１４個の直交周波数分割多重（英語：Orthogonal  Frequency  Division  Multiplexing、略してＯＦＤＭ）シンボルを含む。留意すべきことに、送信時間間隔（英語：Transmission  Time  Interval、略してＴＴＩ）は、リソーススケジューリングの粒度であり、無線フレーム／サブフレーム／タイムスロット／シンボルは、無線リソースの時間スケールである。ネットワーク装置がＴＴＩの単位で無線リソース上でデータを送信しようとするとき、ＴＴＩと無線リソースとの間に対応があり得る。ｅＮＢは、送信時間間隔（英語：Transmission  Time  Interval、略してＴＴＩ）の単位でＵＥへ情報を送信する。この場合、ＴＴＩは１サブフレームであって良く、又は１ＴＴＩはサブフレームの半分又は幾つかのＯＦＤＭシンボルを含んで良い。１ＴＴＩ内の時間周波数リソースは、被送信情報の異なる機能に基づき異なる種類に分類される異なるチャネル、例えば物理ダウンリンク制御チャネル（英語：Physical  Downlink  Control  Channel、略してＰＤＣＣＨ）及び物理ダウンリンク共有チャネル（英語：Physical  Downlink  Shared  Channel、略してＰＤＳＣＨ）、を送信するために使用されて良い。ＰＤＣＣＨチャネルは、ダウンリンク制御情報（英語：Downlink  Control  Information、略してＤＣＩ）を送信するために使用でき、ＤＣＩ情報はデータリソース割り当て、変調及び復調方式、等を示すために使用される。各チャネルは、情報送信のための幾つかのＯＦＤＭシンボルを占有する。勿論、本願明細書では、一例を用いて説明が与えられるだけであり、これは本発明がそれに限定されることを意味しない。
【０１０１】
本発明の一実施形態は、情報送信方法を提供する。情報送信方法は、第１通信装置に適用される。第１通信装置は、情報送信における受信端装置である。望ましくは、第１通信装置はＵＥであって良い。本実施形態では、第１通信装置が第１ＴＴＩ内で情報を送信する一例を用いて説明が与えられる。第１ＴＴＩは１ＴＴＩであり、情報が現在送信されているＴＴＩを示すために使用されて良く、第１ＴＴＩと総称的なＴＴＩとの間には差が無い。ここで第１ＴＴＩは単に説明の明確さのためであり、ＴＴＩについてのいかなる限定も意味しない。図１を参照すると、本実施形態で提供される情報送信方法は以下のステップを含む。
【０１０２】
１０１：第１通信装置は第１構成情報を取得する。
【０１０３】
第１構成情報は、第１領域内のＤＣＩを検出するよう第１通信装置に指示するために使用される。第１領域は、第１ＴＴＩ内の時間周波数リソースである。
【０１０４】
任意で、第１領域は、プリセットＯＦＤＭシンボル又はリソースブロック（英語：Resource  Block、略してＲＢ）を含み、第１領域は、第１ＴＴＩ内の奇数番号のシンボル又はＲＢであって良く、第１領域内の偶数番号のシンボル又はＲＢであって良く、第１ＴＴＩ内の最初の幾つかのシンボル又はＲＢであって良く、又は第１ＴＴＩ内の最後の幾つかのシンボル又はＲＢであって良い。
【０１０５】
第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。任意で、ＰＤＣＣＨは、共通ＰＤＣＣＨ、拡張物理ダウンリンク制御チャネル（英語：Enhanced  Physical  Downlink  Control  Channel、略してＥＰＤＣＣＨ）、又は短物理ダウンリンク制御チャネル（英語：Short  Physical  Downlink  Control  Channel、略してｓＰＤＣＣＨ）であって良い。ｓＰＤＣＣＨは、１サブフレームの長さより短い長さのＴＴＩ内で使用される。任意で、第１構成情報は、第１領域内のＤＣＩを検出するよう第１通信装置に指示するために使用される。又は、第１構成情報は、１ビットを含んで良く、ＤＣＩがＰＤＣＣＨ又はＰＤＳＣＨに含まれるかを示すために使用される。又は、第１領域は、第１通信装置により予め格納されて良く、第１構成情報は、ＤＣＩが第１領域内で検出されるか否かを示すだけのために使用される。又は、第１構成情報は、第１領域の特定時間周波数位置を含む。特定の実装では、第１領域は、第１ＴＴＩ内の、ＰＤＣＣＨにより占有される時間周波数リソースである。又は、第１領域は、第１ＴＴＩ内の、ＰＤＳＣＨにより占有される時間周波数リソースである。
【０１０６】
任意で、ＤＣＩが第１通信装置に対するダウンリンク許可（英語：downlink  grant）を示すために使用されるとき、第１領域は、第１ＴＴＩ内の最初のＮ個の直交周波数分割多重（英語：Orthogonal  Frequency  Division  Multiplexing、略してＯＦＤＭ）シンボルを含み、ここでＮは整数であり、Ｎは［１，１４］に属する。ＤＣＩが第１通信装置に対するアップリンク許可（英語：uplink  grant）を示すために使用されるとき、第１領域は、第１ＴＴＩ内の最後のＭ個のＯＦＤＭシンボルを含み、ここでＭは整数であり、Ｍは［１，１４］に属する。望ましくは、Ｎ及びＭの両者は１である。
【０１０７】
留意すべきことに、本発明では第１ＴＴＩの時間長は、１サブフレームの時間長より短く、サブフレームの半分又は１サブフレーム内の幾つかのＯＦＤＭシンボルであって良い。制御シグナリングにより占有される時間周波数リソースを削減するために、ＤＣＩは、代替として、図２に示すようにＰＤＳＣＨチャネルで送信され得る。
【０１０８】
望ましくは、ＤＣＩ情報が第１通信装置に対するダウンリンク許可を示すために使用される場合、ＰＤＳＣＨで送信されるデータは、検出を通じてＤＣＩが取得された後にのみ、復調できる。したがって、ＤＣＩは、第１ＴＴＩ内の最初の幾つかのＯＦＤＭシンボルを占有するよう設定されて良い。又は、ＤＣＩ情報が第１通信装置に対するアップリンク許可を示すために使用される場合、ＤＣＩを用いてスケジューリングされたＰＵＳＣＨは、現在ＴＴＩの後にあるＴＴＩを占有する。したがって、ＤＣＩは、第１ＴＴＩ内の最後の幾つかのＯＦＤＭシンボルを占有するよう設定されて良い。勿論、ここでは単に一例を用いて説明が与えられる。代替として、ＤＣＩはＰＤＣＣＨで送信されて良い。検出の複雑性を低減し及び第１通信装置の電力消費を低減するために、第１通信装置がＤＣＩが検出されるべき領域を決定できるように、第１構成情報はＤＣＩの位置を示すために使用される。
【０１０９】
任意で、第１構成情報は、ＤＣＩのフォーマット（英語：format）を示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。任意で、ＤＣＩフォーマットのうち、フォーマット０及びフォーマット４は物理アップリンク共有チャネル（英語：Physical  Uplink  Shared  Channel、略してＰＵＳＣＨ）をスケジューリングするために使用され、及びアップリンク許可を示すために使用され、並びに、フォーマット１、フォーマット１Ａ、フォーマット１Ｂ、フォーマット１Ｃ、フォーマット１Ｄ、フォーマット２、フォーマット２Ａ、フォーマット２Ｂ、及びフォーマット２Ｃは、ＰＤＣＣＨをスケジューリングするために使用され、及びダウンリンク許可を示すために使用される。したがって、第１構成情報がＤＣＩのフォーマットを示すとき、第１通信装置は、ＤＣＩを検出するときＤＣＩの示されたフォーマットを検出するだけで良い。これは、検出の複雑性を大幅に低減する。留意すべきことに、第１構成情報はＤＣＩフォーマットを含んで良く、又は、第１構成情報はＤＣＩフォーマットを含まない。ＤＣＩフォーマットの特定の指示方法は、本発明において限定されない。例えば、第１構成情報は、ＤＣＩフォーマットを含まなくて良く、第１領域はＤＣＩフォーマットの幾つかのフォーマットに対応して良い。第１構成情報が、第１領域において検出が実行されることを示すとき、第１通信装置は、第１領域に対応するこれらの幾つかのＤＣＩフォーマットだけを検出する。代替として、第１構成情報は、第１通信装置が検出する必要のあるＤＣＩフォーマットを含む。具体的に、第１構成情報の特定フィールドは、検出される必要のあるＤＣＩフォーマットを示すために使用されて良い。勿論、ここでは単に一例を用いて説明が与えられる。
【０１１０】
第１構成情報は、第１通信装置に予め構成され又は予め格納されて良く、又は、第２通信装置により第１通信装置へ送信されて良い。これは、本発明において限定されない。ここで、本実施形態は、説明のために第１構成情報を取得する３つの特定の方法を列挙する。しかしながら、これは、本発明がこれらに限定されることを意味しない。
【０１１１】
第１の方法では、第１通信装置は、第２通信装置により送信された第１構成情報を受信する。ここで、第１構成情報は、高位レイヤシグナリングで伝達されることにより、第１通信装置へ送信される。望ましくは、第１構成情報は、無線リソース制御（英語：Radio  Resource  Control、略してＲＲＣ）シグナリング、システム情報ブロック（英語：System  Information  Block、略してＳＩＢ）、又は媒体アクセス制御（英語：Media  Access  Control、略してＭＡＣ）シグナリングにより、第１通信装置へ送信されて良い。高位レイヤシグナリング送信周波数は比較的低い。したがって、ＲＲＣシグナリング又はＳＩＢのような高位レイヤシグナリングが第１構成情報を送信するために使用されるとき、シグナリングオーバヘッドが削減できる。さらに、不変のＤＣＩ位置により引き起こされるデータ送信への影響が生じないように、ＤＣＩ位置が柔軟に調整できる。
【０１１２】
第２の方法では、第１構成情報は第１通信装置に予め格納される。例えば、第１構成情報内で示される第１領域は、ネットワーク通信プロトコルを用いて指定されて良い。この方法では、第１通信装置は、第１領域内のＤＣＩだけを検出すれば良い。これは、検出の複雑性を低減する。
【０１１３】
第３の方法では、第１通信装置は、第２領域内の第１構成情報を検出する。第２領域は、第１ＴＴＩ内の、ＰＤＣＣＨにより含まれる時間周波数リソースである。又は、第２領域は、第１ＴＴＩ内の、ＰＤＳＣＨにより含まれる時間周波数リソースである。第３の方法では、第１構成情報は、物理レイヤシグナリングを用いて第１通信装置へ送信される。したがって、先ず、第１構成情報を検出し、第１構成情報を取得することが必要である。この方法は、第１領域の調整に関してより柔軟である。具体的には、ＤＣＩ位置が柔軟に調整できる。さらに、第１領域及び第２領域の両方が、検出範囲について制限を課す。これは、検出の複雑性をある程度低減する。例えば、第２領域は、第１構成情報により占有される時間周波数リソースであって良く、第１通信装置は第２領域内の第１構成情報を直接復号化して良い。第１構成情報の長さは固定長であって良く、又は、第１構成情報の長さはＤＣＩの長さと同じであって良い。
【０１１４】
任意で、第２領域は、プリセット直交周波数分割多重ＯＦＤＭシンボル又はリソースブロックＲＢを含んで良い。例えば、第２領域は第２ＴＴＩ内の奇数番号のリソースブロックＲＢであって良く、第２領域は第２ＴＴＩ内の偶数番号のＲＢであり、第２領域は第２ＴＴＩ内の最初の幾つかのＲＢであり、又は第２領域は第２ＴＴＩ内の最後の幾つかのＲＢである。望ましくは、第２ＴＴＩは第１ＴＴＩと同じであり、又は第２ＴＴＩは第１ＴＴＩの前のＴＴＩである。
【０１１５】
任意で、第１構成情報は、無線ネットワーク一時識別子（英語：Radio  Network  Temporary  Identity、略してＲＮＴＩ）フィールドを含み、又は、第１構成情報はＲＮＴＩによりスクランブルされた巡回冗長符号（英語：Cyclic  Redundancy  Code、略してＣＲＣ）を含む。
【０１１６】
１０２：第１通信装置は、第１ＴＴＩの中の第１領域内のＤＣＩを検出する。
【０１１７】
留意すべきことに、本発明において記載されるＤＣＩの検出又は第１構成情報の検出は、ＤＣＩ又は第１構成情報を受信し、及び受信した情報に対してブラインド検出を実行することを意味する。検出は、情報の正しい受信、復号化及び取得の特定の実装である。勿論、本発明における検出の意味の説明は本願明細書で一例を用いて説明が与えられるだけであり、これは本発明がそれに限定されることを意味しない。
【０１１８】
任意で、好適な実装では、ステップ１０２の前に、第１通信装置は第１長さ情報を取得して良い。第１長さ情報は、ＤＣＩの長さを示すために使用される。ステップ１０２を実行するとき、第１通信装置は、第１長さ情報により示される長さに基づき、第１ＴＴＩの中の第１領域内のＤＣＩを検出して良い。第１通信装置は、第１長さ情報を予め格納して良い。言い換えると、第１通信装置により検出されたＤＣＩは、特定の時間期間内で長さを不変に保つ。この方法では、第１通信装置は、固定長を有するＤＣＩだけを検出すれば良い。これは、検出の複雑性を低減する。
【０１１９】
さらに、任意で、別の好適な実装では、第１領域は、ＤＣＩにより占有される時間周波数リソースであり、第１通信装置は第１ＴＴＩの中の第１領域内のＤＣＩを復号化して良い。第１領域がＤＣＩにより占有される時間周波数リソースを直接示すので、言い換えると、第１領域は第１ＴＴＩ内のＤＣＩの特定リソース位置である。第１通信装置は、ＤＣＩを直接復号化して良い。これは、データ受信効率を向上する。
【０１２０】
本実施形態で提供される情報送信方法によると、第１通信装置は、第１構成情報を取得し、ここで、第１構成情報は第１領域内のダウンリンク制御情報ＤＣＩを検出するよう第１通信装置に指示するために使用され、並びに第１ＴＴＩの中の第１領域内のＤＣＩを検出する。この方法では、ＤＣＩがＰＤＳＣＨチャネル又はＰＤＣＣＨチャネルで送信できるとき、第１通信装置は、第１領域内で検出を実行するだけで良く、特に第１ＴＴＩの時間長が１サブフレームの時間長より短い適用シナリオでは、ＰＤＳＣＨチャネル及びＰＤＣＣＨチャネルを検出しない。これは、受信端により実行されるＤＣＩ検出が比較的高い複雑性を有し且つ比較的高い電力消費を生じるという従来技術の問題を解決する。
【０１２１】
図１に対応する実施形態を参照して、本発明の別の実施形態は情報送信方法を提供する。情報送信方法は、第２通信装置に適用される。第２通信装置は、情報送信における送信端装置である。望ましくは、第１通信装置はｅＮＢであって良い。図３を参照すると、本実施形態で提供される情報送信方法は以下のステップを含む。
【０１２２】
３０１：第２通信装置は、第１通信装置へ第１構成情報を送信する。
【０１２３】
第１構成情報は、第１領域内のＤＣＩを検出するよう第１通信装置に指示するために使用される。第１領域は、第１送信時間間隔ＴＴＩ内の時間周波数リソースである。任意で、第１領域は、ＰＤＣＣＨにより含まれる時間周波数リソースであり、又は第１領域は、ＰＤＳＣＨにより含まれる時間周波数リソースである。望ましくは、第１ＴＴＩの時間長は、１サブフレームの時間長より短い。好適な実装では、第１領域は、ＤＣＩにより占有される時間周波数リソースである。
【０１２４】
望ましくは、第１領域は、プリセット直交周波数分割多重ＯＦＤＭシンボル又はリソースブロックＲＢを含む。
【０１２５】
任意で、ＤＣＩが第１通信装置に対するダウンリンク許可を示すために使用されるとき、第１領域は、第１ＴＴＩ内の最初のＮ個の直交周波数分割多重ＯＦＤＭシンボルを含み、ここでＮは整数であり、Ｎは［１，１４］に属する。ＤＣＩが第１通信装置に対するアップリンク許可を示すために使用されるとき、第１領域は、第１ＴＴＩ内の最後のＭ個のＯＦＤＭシンボルを含み、ここでＭは整数であり、Ｍは［１，１４］に属する。
【０１２６】
任意で、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【０１２７】
図１に対応する実施形態において記載された第１構成情報を送信する第１の方法によると、第１構成情報は、ＲＲＣシグナリング、ＳＩＢ、又はＭＡＣシグナリングにより第１通信装置へ送信されて良い。
【０１２８】
図１に対応する実施形態において記載された第１構成情報を送信する第３の方法によると、第１構成情報は、第２領域内にある。第２領域は、第１ＴＴＩ内の、ＰＤＣＣＨにより含まれる時間周波数リソースである。又は、第２領域は、第１ＴＴＩ内の、ＰＤＳＣＨにより含まれる時間周波数リソースである。
【０１２９】
任意で、第１構成情報は、無線ネットワーク一時識別子ＲＮＴＩフィールドを含み、又は第１構成情報は、ＲＮＴＩによりスクランブルされた巡回冗長符号ＣＲＣを含む。
【０１３０】
３０２：第２通信装置は、第１通信装置へ、第１構成情報の中で示された第１領域内でＤＣＩを送信する。
【０１３１】
本実施形態で提供される情報送信方法によると、第２通信装置は、第１通信装置へ第１構成情報を送信し、ここで、第１構成情報は第１領域内のダウンリンク制御情報ＤＣＩを検出するよう第１通信装置に指示するために使用され、並びに第１通信装置へ、第１構成情報の中で示された第１領域内のＤＣＩを送信する。この方法では、第２通信装置は、第１構成情報を第１通信装置へ送信することにより、第１通信装置がＤＣＩを検出する領域を決定し、第１通信装置は第１領域内で検出を実行するだけで良く、ＰＤＳＣＨチャネル及びＰＤＣＣＨチャネルを検出しない。これは、受信端により実行されるＤＣＩ検出が比較的高い複雑性を有し且つ比較的高い電力消費を生じるという従来技術の問題を解決する。
【０１３２】
図１に対応する前述の実施形態によると本発明の一実施形態は、図１に対応する前述の実施形態において記載された情報送信方法を実行するよう構成される第１通信装置を提供する。望ましくは、第１通信装置はＵＥであって良い。図４を参照すると、第１通信装置４０は、取得ユニット４０１と、受信ユニット４０２と、を含む。
【０１３３】
取得ユニット４０１は、第１指示情報を取得するよう構成される。第１構成情報は、第１領域内のダウンリンク制御情報ＤＣＩを検出するよう、第１通信装置に指示するために使用され、第１領域は、第１送信時間間隔ＴＴＩの中の時間周波数リソースである。
【０１３４】
受信ユニット４０２は、第１ＴＴＩの中の第１領域内のＤＣＩを検出するよう構成される。
【０１３５】
任意で、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。
【０１３６】
任意で、第１領域は、プリセット直交周波数分割多重ＯＦＤＭシンボル又はリソースブロックＲＢを含む。
【０１３７】
任意で、第１ＴＴＩの時間長は、１サブフレームの時間長より短い。
【０１３８】
任意で、ＤＣＩが第１通信装置に対するダウンリンク許可を示すために使用されるとき、第１領域は、第１ＴＴＩ内の最初のＮ個の直交周波数分割多重ＯＦＤＭシンボルを含み、ここでＮは整数であり、Ｎは［１，１４］に属する。ＤＣＩが第１通信装置に対するアップリンク許可を示すために使用されるとき、第１領域は、第１ＴＴＩ内の最後のＭ個のＯＦＤＭシンボルを含み、ここでＭは整数であり、Ｍは［１，１４］に属する。
【０１３９】
任意で、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【０１４０】
任意で、受信ユニット４０２は、第２通信装置により送信された第１構成情報を受信するよう更に構成される。
【０１４１】
任意で、第１構成情報は、無線リソース制御ＲＲＣシグナリング、システム情報ブロックＳＩＢ、又は媒体アクセス制御ＭＡＣシグナリングにより、第１通信装置へ送信されて良い。
【０１４２】
任意で、取得ユニット４０１は、第２領域内の第１構成情報を検出するよう更に構成される。第２領域は、第１ＴＴＩ内の、ＰＤＣＣＨにより含まれる時間周波数リソースである。又は、第２領域は、第１ＴＴＩ内の、ＰＤＳＣＨにより含まれる時間周波数リソースである。
【０１４３】
任意で、第１構成情報は、無線ネットワーク一時識別子ＲＮＴＩフィールドを含み、又は第１構成情報は、ＲＮＴＩによりスクランブルされた巡回冗長符号ＣＲＣを含む。
【０１４４】
任意で、取得ユニット４０１は、第１長さ情報を取得するよう更に構成される。第１長さ情報は、ＤＣＩの長さを示すために使用される。
【０１４５】
受信ユニット４０２は、第１長さ情報により示される長さに基づき、第１ＴＴＩの中の第１領域内のＤＣＩを検出するよう更に構成される。
【０１４６】
任意で、第１領域は、ＤＣＩにより占有される時間周波数リソースである。受信ユニット４０２は、第１ＴＴＩの中の第１領域内のＤＣＩを復号化するよう構成される。
【０１４７】
本実施形態で提供される第１通信装置は、第１構成情報を取得し、ここで、第１構成情報は第１領域内のダウンリンク制御情報ＤＣＩを検出するよう第１通信装置に指示するために使用され、並びに第１ＴＴＩの中の第１領域内のＤＣＩを検出する。この方法では、ＤＣＩがＰＤＳＣＨチャネル又はＰＤＣＣＨチャネルで送信できるとき、第１通信装置は、第１領域内で検出を実行するだけで良く、特に第１ＴＴＩの時間長が１サブフレームの時間長より短い適用シナリオでは、ＰＤＳＣＨチャネル及びＰＤＣＣＨチャネルを検出しない。これは、受信端により実行されるＤＣＩ検出が比較的高い複雑性を有し且つ比較的高い電力消費を生じるという従来技術の問題を解決する。
【０１４８】
図３に対応する前述の実施形態によると本発明の一実施形態は、図３に対応する前述の実施形態において記載された情報送信方法を実行するよう構成される第２通信装置を提供する。望ましくは、第２通信装置はｅＮＢであって良い。図５を参照すると、第２通信装置５０は送信ユニット５０１を含む。
【０１４９】
送信ユニット５０１は、第１通信装置へ第１構成情報を送信するよう構成される。第１構成情報は、第１領域内のダウンリンク制御情報ＤＣＩを検出するよう、第１通信装置に指示するために使用され、第１領域は、第１送信時間間隔ＴＴＩの中の時間周波数リソースである。
【０１５０】
送信ユニット５０１は、第１通信装置へ、第１構成情報の中で示された第１領域内でＤＣＩを送信するよう更に構成される。
【０１５１】
任意で、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。
【０１５２】
任意で、第１領域は、プリセット直交周波数分割多重ＯＦＤＭシンボル又はリソースブロックＲＢを含む。
【０１５３】
任意で、第１ＴＴＩの時間長は、１サブフレームの時間長より短い。
【０１５４】
任意で、ＤＣＩが第１通信装置に対するダウンリンク許可を示すために使用されるとき、第１領域は、第１ＴＴＩ内の最初のＮ個の直交周波数分割多重ＯＦＤＭシンボルを含み、ここでＮは整数であり、Ｎは［１，１４］に属する。ＤＣＩが第１通信装置に対するアップリンク許可を示すために使用されるとき、第１領域は、第１ＴＴＩ内の最後のＭ個のＯＦＤＭシンボルを含み、ここでＭは整数であり、Ｍは［１，１４］に属する。
【０１５５】
任意で、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【０１５６】
任意で、第１構成情報は、無線リソース制御ＲＲＣシグナリング、システム情報ブロックＳＩＢ、又は媒体アクセス制御ＭＡＣシグナリングにより、第１通信装置へ送信されて良い。
【０１５７】
任意で、第１構成情報は第２領域内にある。第２領域は、第１ＴＴＩ内の、ＰＤＣＣＨにより含まれる時間周波数リソースである。又は、第２領域は、第１ＴＴＩ内の、ＰＤＳＣＨにより含まれる時間周波数リソースである。
【０１５８】
任意で、第１構成情報は、無線ネットワーク一時識別子ＲＮＴＩフィールドを含み、又は第１構成情報は、ＲＮＴＩによりスクランブルされた巡回冗長符号ＣＲＣを含む。
【０１５９】
任意で、第１領域は、ＤＣＩにより占有される時間周波数リソースであって良い。
【０１６０】
本実施形態で提供される第２通信装置は、第１通信装置へ第１構成情報を送信し、ここで、第１構成情報は第１領域内のダウンリンク制御情報ＤＣＩを検出するよう第１通信装置に指示するために使用され、並びに第１通信装置へ、第１構成情報の中で示された第１領域内のＤＣＩを送信する。この方法では、第２通信装置は、第１構成情報を第１通信装置へ送信することにより、第１通信装置がＤＣＩを検出する領域を決定し、第１通信装置は、ＰＤＳＣＨチャネル及びＰＤＣＣＨチャネルを検出せずに、第１領域内で検出を実行するだけで良い。これは、受信端により実行されるＤＣＩ検出が比較的高い複雑性を有し且つ比較的高い電力消費を生じるという従来技術の問題を解決する。
【０１６１】
図１に対応する前述の実施形態によると本発明の別の実施形態は、図１に対応する前述の実施形態において記載された情報送信方法を実行するよう構成される第１通信装置を提供する。望ましくは、第１通信装置はＵＥであって良い。図６を参照すると、第１通信装置６０は、プロセッサ６０１、メモリ６０２、及び受信機６０３を含み、プロセッサ６０１、メモリ６０２、及び受信機６０３は互いに接続され、プロセッサ６０１はメモリ６０２に格納されたプログラムを実行するよう構成される。留意すべきことに、受信機６０３は、制御のための独立したプログラムを有して良い。例えば、受信機６０３は、別個のチップにより設けられて良い。代替で、受信機６０３は、単に信号を受信するだけであり、プロセッサ６０１はプログラムを呼び出すことにより更なるデータ処理プロセスを達成する。これは、本発明において限定されない。本実施形態では、説明は、プロセッサ６０１がプログラムを呼び出すことにより受信機６０４を用いて情報を受信する一例を用いて提供される。
【０１６２】
プロセッサ６０１は、第１構成情報を取得するよう構成される。第１構成情報は、第１領域内のダウンリンク制御情報ＤＣＩを検出するよう、第１通信装置に指示するために使用され、第１領域は、第１送信時間間隔ＴＴＩの中の時間周波数リソースである。
【０１６３】
プロセッサ６０１は、受信機６０３を用いて、第１ＴＴＩの中の第１領域内のＤＣＩを検出するよう更に構成される。
【０１６４】
任意で、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。
【０１６５】
任意で、第１領域は、プリセット直交周波数分割多重ＯＦＤＭシンボル又はリソースブロックＲＢを含む。
【０１６６】
任意で、第１ＴＴＩの時間長は、１サブフレームの時間長より短い。
【０１６７】
任意で、ＤＣＩが第１通信装置に対するダウンリンク許可を示すために使用されるとき、第１領域は、第１ＴＴＩ内の最初のＮ個の直交周波数分割多重ＯＦＤＭシンボルを含み、ここでＮは整数であり、Ｎは［１，１４］に属する。ＤＣＩが第１通信装置に対するアップリンク許可を示すために使用されるとき、第１領域は、第１ＴＴＩ内の最後のＭ個のＯＦＤＭシンボルを含み、ここでＭは整数であり、Ｍは［１，１４］に属する。
【０１６８】
任意で、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【０１６９】
プロセッサ６０１は、受信機６０３を用いて、第２通信装置により送信された第１構成情報を受信するよう更に構成される。
【０１７０】
任意で、第１構成情報は、無線リソース制御ＲＲＣシグナリング、システム情報ブロックＳＩＢ、又は媒体アクセス制御ＭＡＣシグナリングにより、第１通信装置へ送信されて良い。
【０１７１】
任意で、プロセッサ６０１は、第２領域内の第１構成情報を検出するよう更に構成される。第２領域は、第１ＴＴＩ内の、ＰＤＣＣＨにより含まれる時間周波数リソースである。又は、第２領域は、第１ＴＴＩ内の、ＰＤＳＣＨにより含まれる時間周波数リソースである。
【０１７２】
任意で、第１構成情報は、無線ネットワーク一時識別子ＲＮＴＩフィールドを含み、又は第１構成情報は、ＲＮＴＩによりスクランブルされた巡回冗長符号ＣＲＣを含む。
【０１７３】
任意で、プロセッサ６０１は、第１長さ情報を取得し、第１長さ情報はＤＣＩの長さを示すために使用され、並びに、受信機６０３を用いて第１長さ情報により示される長さに基づき、第１ＴＴＩの中の第１領域内のＤＣＩを検出するよう更に構成される。
【０１７４】
任意で、第１領域は、ＤＣＩにより占有される時間周波数リソースである。
【０１７５】
プロセッサ６０１は、第１ＴＴＩの中の第１領域内のＤＣＩを復号化するよう更に構成される。
【０１７６】
本実施形態で提供される第１通信装置は、第１構成情報を取得し、ここで、第１構成情報は第１領域内のダウンリンク制御情報ＤＣＩを検出するよう第１通信装置に指示するために使用され、並びに第１ＴＴＩの中の第１領域内のＤＣＩを検出する。この方法では、ＤＣＩがＰＤＳＣＨチャネル又はＰＤＣＣＨチャネルで送信できるとき、第１通信装置は、第１領域内で検出を実行するだけで良く、特に第１ＴＴＩの時間長が１サブフレームの時間長より短い適用シナリオでは、ＰＤＳＣＨチャネル及びＰＤＣＣＨチャネルを検出しない。これは、受信端により実行されるＤＣＩ検出が比較的高い複雑性を有し且つ比較的高い電力消費を生じるという従来技術の問題を解決する。
【０１７７】
図３に対応する前述の実施形態によると本発明の別の実施形態は、図３に対応する前述の実施形態において記載された情報送信方法を実行するよう構成される第２通信装置を提供する。望ましくは、第２通信装置はｅＮＢであって良い。図５を参照すると、第１通信装置７０は、プロセッサ７０１、メモリ７０２、及び送信機７０３を含み、プロセッサ７０１、メモリ７０２、及び送信機７０３は互いに接続され、プロセッサ７０１はメモリ７０２に格納されたプログラムを実行するよう構成される。留意すべきことに、送信機７０３は、制御のための独立したプログラムを有して良い。例えば、送信機７０３は、別個のチップにより設けられて良い。代替で、送信機７０３は、単に信号を送信するだけであり、プロセッサ７０１はプログラムを呼び出すことにより更なるデータ処理プロセスを達成する。これは、本発明において限定されない。本実施形態では、説明は、プロセッサ７０１がプログラムを呼び出すことにより送信機７０３を用いて情報を送信する一例を用いて提供される。
【０１７８】
プロセッサ７０１は、送信機７０３を用いて、第１通信装置へ第１構成情報を送信するよう構成される。第１構成情報は、第１領域内のダウンリンク制御情報ＤＣＩを検出するよう、第１通信装置に指示するために使用され、第１領域は、第１送信時間間隔ＴＴＩの中の時間周波数リソースである。
【０１７９】
プロセッサ７０１は、送信機７０３を用いて、第１通信装置へ、第１構成情報の中で示された第１領域内でＤＣＩを送信するよう更に構成される。
【０１８０】
任意で、第１領域は、物理ダウンリンク制御チャネルＰＤＣＣＨにより含まれる時間周波数リソースであり、又は第１領域は、物理ダウンリンク共有チャネルＰＤＳＣＨにより含まれる時間周波数リソースである。
【０１８１】
任意で、第１領域は、プリセット直交周波数分割多重ＯＦＤＭシンボル又はリソースブロックＲＢを含む。
【０１８２】
任意で、第１ＴＴＩの時間長は、１サブフレームの時間長より短い。
【０１８３】
任意で、ＤＣＩが第１通信装置に対するダウンリンク許可を示すために使用されるとき、第１領域は、第１ＴＴＩ内の最初のＮ個の直交周波数分割多重ＯＦＤＭシンボルを含み、ここでＮは整数であり、Ｎは［１，１４］に属する。ＤＣＩが第１通信装置に対するアップリンク許可を示すために使用されるとき、第１領域は、第１ＴＴＩ内の最後のＭ個のＯＦＤＭシンボルを含み、ここでＭは整数であり、Ｍは［１，１４］に属する。
【０１８４】
任意で、第１構成情報は、ＤＣＩのフォーマットを示すために更に使用され、ＤＣＩのフォーマットは、フォーマット１、フォーマット１Ａ、フォーマット１Ｂ、フォーマット１Ｃ、フォーマット１Ｄ、フォーマット２、フォーマット２Ａ、フォーマット２Ｂ、フォーマット２Ｃ、フォーマット０、及びフォーマット４のうちの少なくとも１つを含む。
【０１８５】
任意で、第１構成情報は、無線リソース制御ＲＲＣシグナリング、システム情報ブロックＳＩＢ、又は媒体アクセス制御ＭＡＣシグナリングにより、第１通信装置へ送信されて良い。
【０１８６】
任意で、第１構成情報は第２領域内にある。第２領域は、第１ＴＴＩ内の、ＰＤＣＣＨにより含まれる時間周波数リソースである。又は、第２領域は、第１ＴＴＩ内の、ＰＤＳＣＨにより含まれる時間周波数リソースである。
【０１８７】
任意で、第１構成情報は、無線ネットワーク一時識別子ＲＮＴＩフィールドを含み、又は第１構成情報は、ＲＮＴＩによりスクランブルされた巡回冗長符号ＣＲＣを含む。
【０１８８】
任意で、第１領域は、ＤＣＩにより占有される時間周波数リソースである。
【０１８９】
本実施形態で提供される第２通信装置は、第１通信装置へ第１構成情報を送信し、ここで、第１構成情報は第１領域内のダウンリンク制御情報ＤＣＩを検出するよう第１通信装置に指示するために使用され、並びに第１通信装置へ、第１構成情報の中で示された第１領域内のＤＣＩを送信する。この方法では、第２通信装置は、第１構成情報を第１通信装置へ送信することにより、第１通信装置がＤＣＩを検出する領域を決定し、第１通信装置は、ＰＤＳＣＨチャネル及びＰＤＣＣＨチャネルを検出せずに、第１領域内で検出を実行するだけで良い。これは、受信端により実行されるＤＣＩ検出が比較的高い複雑性を有し且つ比較的高い電力消費を生じるという従来技術の問題を解決する。
【０１９０】
図１及び図３に対応する前述の実施形態によると本発明の一実施形態は、図１及び図３に対応する前述の実施形態において記載された情報送信方法を実行するよう構成される情報送信システムを提供する。図８を参照すると、本実施形態において提供される情報送信システム８０は、第１通信装置８０１及び第２通信装置８０２を含む。望ましくは、第１通信装置８０１はＵＥであって良く、第２通信装置８０２はｅＮＢであって良い。
【０１９１】
具体的に、第１通信装置８０１は図４に対応する実施形態において記載された第１通信装置であり、第２通信装置は図５に対応する実施形態において記載された第２通信装置である。
【０１９２】
代替として、第１通信装置８０１は図６に対応する実施形態において記載された第１通信装置であり、第２通信装置は図７に対応する実施形態において記載された第２通信装置である。
【０１９３】
本発明で提供される情報送信システムによると、第１通信装置は、第１構成情報を取得し、ここで、第１構成情報は第１領域内のダウンリンク制御情報ＤＣＩを検出するよう第１通信装置に指示するために使用され、並びに第１ＴＴＩの中の第１領域内のＤＣＩを検出する。この方法では、ＤＣＩがＰＤＳＣＨチャネル又はＰＤＣＣＨチャネルで送信できるとき、第１通信装置は、第１領域内だけで検出を実行れば良く、ＰＤＳＣＨチャネル及びＰＤＣＣＨチャネルを検出しない。これは、受信端により実行されるＤＣＩ検出が比較的高い複雑性を有し且つ比較的高い電力消費を生じるという従来技術の問題を解決する。
【０１９４】
当業者は、実施形態のステップの全部又は一部が、ハードウェア又は関連するハードウェアに指示するプログラムにより実装されても良いことを理解する。プログラムは、コンピュータ可読記憶媒体に格納されて良い。記憶媒体は、リードオンリーメモリ、磁気ディスク、光ディスク、等であって良い。
【０１９５】
上述の説明は、本発明の単なる例示的な実施形態であり、本発明を制限することを意図しない。本発明の精神及び原理から逸脱することなく行われる変更、等価置換、又は改良は、本発明の保護範囲に含まれるべきである。
【図１】
2019511889.tif 000003
【図２】
2019511889.tif 000004
【図３】
2019511889.tif 000005
【図４】
2019511889.tif 000006
【図５】
2019511889.tif 000007
【図６】
2019511889.tif 000008
【図７】
2019511889.tif 000009
【図８】
2019511889.tif 000010
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
情報送信方法であって、前記方法は、
第１通信装置により、第１構成情報を取得するステップであって、前記第１構成情報は、第１領域内のダウンリンク制御情報（ＤＣＩ）を検出するよう前記第１通信装置に指示するために使用され、前記第１領域は、第１送信時間間隔（ＴＴＩ）の中の時間周波数リソースである、ステップと、
前記第１通信装置により、前記第１ＴＴＩの中の前記第１領域内の前記ＤＣＩを検出するステップと、
を含む方法。
【請求項２】
前記第１領域は、物理ダウンリンク制御チャネル（ＰＤＣＣＨ）に含まれる時間周波数リソースであり、又は前記第１領域は、物理ダウンリンク共有チャネル（ＰＤＳＣＨ）に含まれる時間周波数リソースである、請求項１に記載の方法。
【請求項３】
前記第１領域は、プリセット直交周波数分割多重（ＯＦＤＭ）シンボル又はリソースブロック（ＲＢ）を含む、請求項１又は２に記載の方法。
【請求項４】
前記第１ＴＴＩの時間長は１サブフレームの時間長より短い、請求項１乃至３のいずれか一項に記載の方法。
【請求項５】
第１通信装置により、第１構成情報を取得する前記ステップは、
前記第１通信装置により、第２通信装置により送信された前記第１構成情報を受信するステップを含む、請求項１乃至４のいずれか一項に記載の方法。
【請求項６】
前記第１構成情報は、無線リソース制御（ＲＲＣ）シグナリング、システム情報ブロック（ＳＩＢ）、又は媒体アクセス制御（ＭＡＣ）シグナリングにより、前記第１通信装置へ送信される、請求項５に記載の方法。
【請求項７】
前記第１通信装置により、第２通信装置により送信された前記第１構成情報を受信する前記ステップは、
前記第１通信装置により、第２領域内の前記第１構成情報を検出するステップであって、前記第２領域は、前記第１ＴＴＩ内の、ＰＤＣＣＨに含まれる時間周波数リソースである、又は前記第２領域は、前記第１ＴＴＩ内の、ＰＤＳＣＨに含まれる時間周波数リソースである、ステップを含む、請求項５に記載の方法。
【請求項８】
前記第１通信装置により、前記第１ＴＴＩの中の前記第１領域内の前記ＤＣＩを検出する前記ステップの前に、前記方法は、
前記第１通信装置により、第１長さ情報を取得するステップであって、前記第１長さ情報は前記ＤＣＩの長さを示すために使用される、ステップと、
前記第１通信装置により、前記第１ＴＴＩの中の前記第１領域内の前記ＤＣＩを検出する前記ステップは、
前記第１通信装置により、前記第１長さ情報により示される前記長さに基づき、前記第１ＴＴＩの中の前記第１領域内の前記ＤＣＩを検出するステップを含む、
請求項１乃至７のいずれか一項に記載の方法。
【請求項９】
前記ＤＣＩが前記第１通信装置に対するダウンリンク許可を示すために使用されるとき、前記第１領域は、前記第１ＴＴＩの中の最初のＮ個の直交周波数分割多重（ＯＦＤＭ）シンボルを含み、Ｎは整数であり、Ｎは［１，１４］に属する、請求項１乃至８のいずれか一項に記載の方法。
【請求項１０】
前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する、請求項１乃至９のいずれか一項に記載の方法。
【請求項１１】
情報送信方法であって、前記方法は、
第２通信装置により、第１通信装置へ第１構成情報を送信するステップであって、前記第１構成情報は、第１領域内のダウンリンク制御情報（ＤＣＩ）を検出するよう前記第１通信装置に指示するために使用され、前記第１領域は、第１送信時間間隔（ＴＴＩ）の中の時間周波数リソースである、ステップと、
前記第２通信装置により、前記第１通信装置へ前記第１構成情報の中で示される前記第１領域内で前記ＤＣＩを送信するステップと、
を含む方法。
【請求項１２】
前記第１領域は、物理ダウンリンク制御チャネル（ＰＤＣＣＨ）に含まれる時間周波数リソースであり、又は前記第１領域は、物理ダウンリンク共有チャネル（ＰＤＳＣＨ）に含まれる時間周波数リソースである、請求項１１に記載の方法。
【請求項１３】
前記第１構成情報は、無線リソース制御（ＲＲＣ）シグナリング、システム情報ブロック（ＳＩＢ）、又は媒体アクセス制御（ＭＡＣ）シグナリングにより、前記第１通信装置へ送信される、請求項１１又は１２に記載の方法。
【請求項１４】
第１通信装置であって、
第１構成情報を取得するよう構成される取得ユニットであって、前記第１構成情報は、第１領域内のダウンリンク制御情報（ＤＣＩ）を検出するよう前記第１通信装置に指示するために使用され、前記第１領域は、第１送信時間間隔（ＴＴＩ）の中の時間周波数リソースである、取得ユニットと、
前記第１ＴＴＩの中の前記第１領域内の前記ＤＣＩを検出するよう構成される受信ユニットと、
を含む装置。
【請求項１５】
前記第１領域は、物理ダウンリンク制御チャネル（ＰＤＣＣＨ）に含まれる時間周波数リソースであり、又は前記第１領域は、物理ダウンリンク共有チャネル（ＰＤＳＣＨ）に含まれる時間周波数リソースである、請求項１４に記載の装置。
【請求項１６】
前記第１ＴＴＩの時間長は１サブフレームの時間長より短い、請求項１４又は１５に記載の装置。
【請求項１７】
前記受信ユニットは、第２通信装置により送信された前記第１構成情報を受信するよう更に構成される、請求項１４乃至１６のいずれか一項に記載の装置。
【請求項１８】
前記第１構成情報は、無線リソース制御（ＲＲＣ）シグナリング、システム情報ブロック（ＳＩＢ）、又は媒体アクセス制御（ＭＡＣ）シグナリングにより、前記第１通信装置へ送信される、請求項１４乃至１７のいずれか一項に記載の装置。
【請求項１９】
前記受信ユニットは、第２領域内にある前記第１構成情報を検出するよう更に構成され、前記第２領域は、前記第１ＴＴＩ内の、ＰＤＣＣＨに含まれる時間周波数リソースである、又は前記第２領域は、前記第１ＴＴＩ内の、ＰＤＳＣＨに含まれる時間周波数リソースである、請求項１４乃至１８のいずれか一項に記載の装置。
【請求項２０】
前記取得ユニットは、第１長さ情報を取得するよう更に構成され、前記第１長さ情報は前記ＤＣＩの長さを示すために使用され、
前記受信ユニットは、前記第１長さ情報により示される前記長さに基づき、前記第１ＴＴＩの中の前記第１領域内の前記ＤＣＩを検出するよう更に構成される、
請求項１４乃至１９のいずれか一項に記載の装置。
【請求項２１】
前記ＤＣＩが前記第１通信装置に対するダウンリンク許可を示すために使用されるとき、前記第１領域は、前記第１ＴＴＩの中の最初のＮ個の直交周波数分割多重（ＯＦＤＭ）シンボルを含み、Ｎは整数であり、Ｎは［１，１４］に属する、請求項１４乃至２０のいずれか一項に記載の装置。
【請求項２２】
前記ＤＣＩが前記第１通信装置に対するアップリンク許可を示すために使用されるとき、前記第１領域は、前記第１ＴＴＩの中の最後のＭ個のＯＦＤＭシンボルを含み、Ｍは整数であり、Ｍは［１，１４］に属する、請求項１４乃至２１のいずれか一項に記載の装置。
【請求項２３】
第２通信装置であって、
第１通信装置へ第１構成情報を送信するよう構成される送信ユニットであって、前記第１構成情報は、第１領域内のダウンリンク制御情報（ＤＣＩ）を検出するよう前記第１通信装置に指示するために使用され、前記第１領域は、第１送信時間間隔（ＴＴＩ）の中の時間周波数リソースである、送信ユニットを含み、
前記送信ユニットは、前記第１通信装置へ前記第１構成情報の中で示される前記第１領域内で前記ＤＣＩを送信するよう更に構成される、装置。
【請求項２４】
前記第１領域は、物理ダウンリンク制御チャネル（ＰＤＣＣＨ）に含まれる時間周波数リソースであり、又は前記第１領域は、物理ダウンリンク共有チャネル（ＰＤＳＣＨ）に含まれる時間周波数リソースである、請求項２３に記載の装置。
【請求項２５】
前記第１構成情報は、無線リソース制御（ＲＲＣ）シグナリング、システム情報ブロック（ＳＩＢ）、又は媒体アクセス制御（ＭＡＣ）シグナリングにより、前記第１通信装置へ送信される、請求項２３又は２４に記載の装置。
【請求項２６】
第１通信装置であって、プロセッサと受信機とを含み、
前記プロセッサは、第１構成情報を取得するよう構成され、前記第１構成情報は、第１領域内のダウンリンク制御情報（ＤＣＩ）を検出するよう前記第１通信装置に指示するために使用され、前記第１領域は、第１送信時間間隔（ＴＴＩ）の中の時間周波数リソースであり、
前記プロセッサは、前記受信機を用いて、前記第１ＴＴＩの中の前記第１領域内の前記ＤＣＩを検出するよう更に構成される、装置。
【請求項２７】
第２通信装置であって、プロセッサと送信機とを含み、
前記送信機は、第１通信装置へ第１構成情報を送信するよう構成され、前記第１構成情報は、第１領域内のダウンリンク制御情報（ＤＣＩ）を検出するよう前記第１通信装置に指示するために使用され、前記第１領域は第１送信時間間隔（ＴＴＩ）の中の時間周波数リソースであり、
前記送信機は、前記第１通信装置へ、前記第１構成情報の中で示される前記第１領域内で前記ＤＣＩを送信するよう更に構成される、装置。
【請求項２８】
コンピュータにより実行されると、該コンピュータに請求項１乃至１０のいずれか一項に記載の方法又は請求項１１乃至１３のいずれか一項に記載の方法を実行させる命令を含むコンピュータ可読媒体。
【請求項２９】
コンピュータに請求項１乃至１０のいずれか一項に記載の方法又は請求項１１乃至１３のいずれか一項に記載の方法を実施させるプログラム。
【手続補正２】
【補正対象書類名】明細書
【補正対象項目名】０００２
【補正方法】変更
【補正の内容】
【０００２】
ロングタームエボリューション（英語：Long  Term  Evolution、略してＬＴＥ）システム、第３世代パートナーシッププロジェクト（英語：３rd  Generation  Partnership  Project、略して３ＧＰＰ）システム、及びロングタームエボリューション・アドバンスト（英語：Long  Term  Evolution−Advanced、略してＬＴＥ−Ａ）システムのような無線ネットワーク通信システムでは、時間周波数リソースは、情報送信のために時間ドメインにおいて複数の無線フレームに分けられる。１つの無線フレームは、通常、１０ミリ秒（英語：Millisecond、略してｍｓ）を有し、それぞれ１ｍｓの長さを有する１０個のサブフレームを含む。１サブフレームは１２又は１４個の直交周波数分割多重（英語：Orthogonal  Frequency  Division  multiplexing、略してＯＦＤＭ）シンボルを含む。１サブフレームにより示される時間ドメイン内で、つまり１送信時間間隔（英語：Transmission  Time  Interval、略してＴＴＩ）内で、物理ダウンリンク制御チャネル（英語：Physical  Downlink  Control  Channel、略してＰＤＣＣＨ）及び物理ダウンリンク共有チャネル（英語：Physical  Downlink  Shared  Channel、略してＰＤＳＣＨ）のような複数のチャネルが送信できる。ＰＤＣＣＨチャネルは、ダウンリンク制御情報（英語：Downlink  Control  Information、略してＤＣＩ）を送信するために使用でき、ＤＣＩ情報はデータリソース割り当て、変調及び復調方式、等を示すために使用される。通常、ＰＤＣＣＨは、サブフレームの最初の１〜３個のＯＦＤＭシンボルを占有する。受信端は、ＰＤＣＣＨ内の受信端のＤＣＩの特定リソース位置、及び受信端のＤＣＩに対応するＰＤＣＣＨにより使用される制御チャネル要素（英語：Control  Channel  Element、略してＣＣＥ）の集約レベル（英語：Aggregation  level、略してＡＬ）を取得できない。したがって、受信端は、ＤＣＩを取得するためにブラインド検出を実行する必要がある。具体的に言うと、受信端は、異なるリソース位置、ＤＣＩ長（複数のＤＣＩ片が復号化される必要のあるとき）、及び集約レベルを用いることにより、ＰＤＣＣＨを検出しようと絶えず試みる。スモールパケットサービスをサポートするために、１ＴＴＩは、サブフレームの半分、又は幾つかのＯＦＤＭシンボルだけを含む場合がある。このようなスモールパケットサービスの適用シナリオでは、依然として各ＴＴＩ内に独立したＰＤＣＣＨが存在し、過度に高い制御シグナリングオーバヘッドを生じる。
【手続補正３】
【補正対象書類名】明細書
【補正対象項目名】０００３
【補正方法】変更
【補正の内容】
【０００３】
従来技術では、ＴＴＩが比較的短いとき、ＤＣＩ情報は、ＰＤＳＣＨに追加された後に送信される。言い換えると、ＰＤＳＣＨにより占有されるリソースの一部が、ＤＣＩ情報を送信するために使用される。ＤＣＩがアップリンクデータ送信を示すために使用される場合、現在ＴＴＩの後にあるＴＴＩで実行されるデータ送信がスケジューリングされ、ＤＣＩを運ぶＰＤＳＣＨが存在しないので、ＤＣＩは依然としてＰＤＣＣＨで送信される必要がある。これは、ＰＤＣＣＨのリソース予約を必要とする。ＰＤＣＣＨのために過剰なリソースが予約される場合、リソースの浪費が引き起こされる。或いは、過度に少ないリソースしかＰＤＣＣＨのために予約されない場合、スケジューリングされる必要のある多数のＵＥが存在するとき、リソースが不足することがある。釣り合いを取る目的で、従来技術では、ＤＣＩはＰＤＳＣＨ又はＰＤＣＣＨ内に存在することがあり、受信端はＰＤＳＣＨ及びＰＤＣＣＨの両方の中のＤＣＩ情報を検出する必要がある。
【手続補正４】
【補正対象書類名】明細書
【補正対象項目名】０１２１
【補正方法】変更
【補正の内容】
【０１２１】
図１に対応する実施形態を参照して、本発明の別の実施形態は情報送信方法を提供する。情報送信方法は、第２通信装置に適用される。第２通信装置は、情報送信における送信端装置である。望ましくは、第２通信装置はｅＮＢであって良い。図３を参照すると、本実施形態で提供される情報送信方法は以下のステップを含む。
【手続補正５】
【補正対象書類名】明細書
【補正対象項目名】０１６１
【補正方法】変更
【補正の内容】
【０１６１】
図１に対応する前述の実施形態によると本発明の別の実施形態は、図１に対応する前述の実施形態において記載された情報送信方法を実行するよう構成される第１通信装置を提供する。望ましくは、第１通信装置はＵＥであって良い。図６を参照すると、第１通信装置６０は、プロセッサ６０１、メモリ６０２、及び受信機６０３を含み、プロセッサ６０１、メモリ６０２、及び受信機６０３は互いに接続され、プロセッサ６０１はメモリ６０２に格納されたプログラムを実行するよう構成される。留意すべきことに、受信機６０３は、制御のための独立したプログラムを有して良い。例えば、受信機６０３は、別個のチップにより設けられて良い。代替で、受信機６０３は、単に信号を受信するだけであり、プロセッサ６０１はプログラムを呼び出すことにより更なるデータ処理プロセスを達成する。これは、本発明において限定されない。本実施形態では、説明は、プロセッサ６０１がプログラムを呼び出すことにより受信機６０３を用いて情報を受信する一例を用いて提供される。
【手続補正６】
【補正対象書類名】明細書
【補正対象項目名】０１７７
【補正方法】変更
【補正の内容】
【０１７７】
図３に対応する前述の実施形態によると本発明の別の実施形態は、図３に対応する前述の実施形態において記載された情報送信方法を実行するよう構成される第２通信装置を提供する。望ましくは、第２通信装置はｅＮＢであって良い。図５を参照すると、第２通信装置７０は、プロセッサ７０１、メモリ７０２、及び送信機７０３を含み、プロセッサ７０１、メモリ７０２、及び送信機７０３は互いに接続され、プロセッサ７０１はメモリ７０２に格納されたプログラムを実行するよう構成される。留意すべきことに、送信機７０３は、制御のための独立したプログラムを有して良い。例えば、送信機７０３は、別個のチップにより設けられて良い。代替で、送信機７０３は、単に信号を送信するだけであり、プロセッサ７０１はプログラムを呼び出すことにより更なるデータ処理プロセスを達成する。これは、本発明において限定されない。本実施形態では、説明は、プロセッサ７０１がプログラムを呼び出すことにより送信機７０３を用いて情報を送信する一例を用いて提供される。
【国際調査報告】
2019511889.tif 000011
2019511889.tif 000012
2019511889.tif 000013
2019511889.tif 000014